(57)【要約】【課題】受信した信号の劣化を抑えることのできる無線通信手段を有する情報処理装置を提供する。【解決手段】上部筐体１０は、電波を送受信するアンテナ１２０と、アンテナ１２０が受信した信号を伝達するＲＦ（Ｒａｄｉｏ  Ｆｒｅｑｕｅｎｃｙ）ケーブル１２１と、信号を復調して処理する無線モジュール１２２とを有する。また、上部筐体１０は、表示部１１を有し、表示部１１は、ＬＣＤ（Ｌｉｑｕｄ  Ｃｒｙｓｔａｌ  Ｄｉｓｐｌａｙ）１１０と図示しないバックライトおよびバックライト用インバータ等からなる。下部筐体２０は、ＣＰＵ等を実装したマザーボードであるメイン基板２００を有し、接続用ハーネス１２３を介して無線モジュール１２２と接続されている。【選択図】図２
2008191706.tif 000002
【特許請求の範囲】
【請求項１】
無線通信用のアンテナと、
前記アンテナから受信信号を入力し、前記アンテナに送信信号を出力する無線モジュールと、
前記アンテナと前記無線モジュールとの間で前記受信信号および前記送信信号を伝送するケーブルと、
前記無線モジュールを制御する制御部と、
前記アンテナと前記無線モジュールと前記ケーブルとを格納する第１の筐体と、
前記第１の筐体を支持し、前記制御部を格納する第２の筐体とを有することを特徴とする情報処理装置。
【請求項２】
前記ケーブルは、全長が２０ｃｍ以内であることを特徴とする請求項１に記載の情報処理装置。
【請求項３】
前記無線モジュールは、ハーネスによって前記第２の筐体内の前記制御部と接続され、信号を送受信することを特徴とする請求項１に記載の情報処理装置。
【請求項４】
無線通信用のアンテナと、
前記アンテナから受信信号を入力し、前記アンテナに送信信号を出力する無線モジュールと、
前記無線モジュールを制御する制御部と、
前記アンテナと前記無線モジュールとを格納する第１の筐体と、
前記第１の筐体を支持し、前記制御部を格納する第２の筐体とを有することを特徴とする情報処理装置。
【請求項５】
前記アンテナは、前記無線モジュールと直接接続され、前記受信信号および前記送信信号を通信することを特徴とする請求項４に記載の情報処理装置。
【請求項６】
前記無線モジュールは、ハーネスによって前記第２の筐体内の前記制御部と接続され、信号を送受信することを特徴とする請求項４に記載の情報処理装置。
【発明の詳細な説明】
【技術分野】
【０００１】
本発明は、無線通信手段を有する情報処理装置に関し、特に、受信した信号の劣化を抑えることのできる無線通信手段を有する情報処理装置に関する。
【背景技術】
【０００２】
従来の技術として、金属筐体の一部に切り欠き部を設け、切り欠き部にアンテナを配することでアンテナ感度を向上させた情報処理装置がある（例えば、特許文献１参照）。
【０００３】
この情報処理装置は、ＬＣＤからなる表示部と、表示部の背面を覆う金属筐体と、金属筐体の上部に設置された切り欠き部に配置されるアンテナとを有する。この情報処理装置においては、アンテナが受信および発信する電波が切り欠き部を設けたために金属筐体に遮られることがなく、良好なアンテナ感度を達成することができる。
【特許文献１】特開２００２−３２１５０号公報
【発明の開示】
【発明が解決しようとする課題】
【０００４】
しかし、従来の情報処理装置によると、アンテナ感度は良好なものの、アンテナが受信した信号が信号を処理する情報処理装置内の無線モジュールに入力されるまでに伝送するケーブル内で信号のゲインがロスしたり、信号にノイズが重畳したりすることで信号が劣化する可能性があるという問題がある。
【０００５】
従って、本発明の目的は、受信した信号の劣化を抑えることのできる無線通信手段を有する情報処理装置を提供することにある。
【課題を解決するための手段】
【０００６】
（１）本発明は上記目的を達成するため、無線通信用のアンテナと、前記アンテナから受信信号を入力し、前記アンテナに送信信号を出力する無線モジュールと、前記アンテナと前記無線モジュールとの間で前記受信信号および前記送信信号を伝送するケーブルと、前記無線モジュールを制御する制御部と、前記アンテナと前記無線モジュールと前記ケーブルとを格納する第１の筐体と、前記第１の筐体を支持し、前記制御部を格納する第２の筐体とを有することを特徴とする情報処理装置を提供する。
【０００７】
上記した構成によれば、アンテナと無線モジュールとを同一の筐体に配置したことにより、それぞれを別の筐体に配置していた構成に比べてアンテナと無線モジュールとを接続するケーブルの長さを短くすることができ、ケーブル内で生じる信号のゲインのロスや、ケーブルの長さに比例して大きくなるノイズを抑えることができる。
【０００８】
（２）また、本発明は上記目的を達成するため、無線通信用のアンテナと、前記アンテナから受信信号を入力し、前記アンテナに送信信号を出力する無線モジュールと、前記無線モジュールを制御する制御部と、前記アンテナと前記無線モジュールとを格納する第１の筐体と、前記第１の筐体を支持し、前記制御部を格納する第２の筐体とを有することを特徴とする情報処理装置を提供する。
【０００９】
上記した構成によれば、アンテナと無線モジュールをケーブルを介さずに接続したことにより、信号のゲインロスおよびノイズを防止することができる。
【発明の効果】
【００１０】
本発明によれば、受信信号の劣化を抑制できる。
【発明を実施するための最良の形態】
【００１１】
以下に、本発明の情報処理装置の実施の形態を、図面を参照して詳細に説明する。
【００１２】
〔第１の実施の形態〕
（情報処理装置の構成）
図１は、本発明の第１の実施の形態に関する情報処理装置を示す斜視図である。
【００１３】
この情報処理装置１は、上部筐体１０と下部筐体２０から構成され、ヒンジ部３０により開閉自在に接続されている。上部筐体１０は、文字や画像等を表示する表示部１１を有する。下部筐体２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部２１と、ポインティングデバイスとしての操作部２２とを有する。
【００１４】
図２は、本発明の第１の実施の形態に関する情報処理装置の内部を示す斜視図である。
【００１５】
上部筐体１０は、電波を送受信するアンテナ１２０と、アンテナ１２０が受信した信号を伝達するＲＦ（Ｒａｄｉｏ  Ｆｒｅｑｕｅｎｃｙ）ケーブル１２１と、信号を復調して処理する無線モジュール１２２とを有する。また、上部筐体１０は、表示部１１を有し、表示部１１は、ＬＣＤ（Ｌｉｑｕｄ  Ｃｒｙｓｔａｌ  Ｄｉｓｐｌａｙ）１１０と図示しないバックライトおよびバックライト用インバータ等からなる。下部筐体２０は、ＣＰＵ等を実装したマザーボードであるメイン基板２００を有し、接続用ハーネス１２３を介して無線モジュール１２２と接続されている。
【００１６】
アンテナ１２０は、例えばＣＤＭＡ方式の電波を受信し、長さ１５ｃｍを有する。ＲＦケーブル１２１は、例えば同軸ケーブルで、直径１．１３ｍｍのものを使用する。ＲＦケーブル１２１の長さは、２０ｃｍ以下であるとする。
【００１７】
接続用ハーネス１２３は、複数のケーブル、例えば５本以上のケーブルを有し、その両端にコネクタ１２３ａおよびコネクタ１２３ｂを有し、メイン基板２００上のコネクタ２００ａおよび無線モジュールと接続される。また、接続用ハーネス１２３は、ヒンジ部３０を介して上部筐体１０から下部筐体２０へ配される。
【００１８】
図３は、本発明の第１の実施の形態に関する情報処理装置の構成を示すブロック図である。
【００１９】
この情報処理装置１は、文字や画像を表示するＬＣＤ１１０とＬＣＤ１１０の表示に関する制御を行う表示制御部１１１からなる表示部１１と、電波を送受信するアンテナ１２０と受信した信号を伝達するＲＦケーブル１２１と信号を復調して処理する無線モジュール１２２とからなる通信部１２と、情報処理装置１を操作可能で図１に示す文字入力部２１と操作部２２とを含む入力部１３と、情報を磁気情報として記憶する記憶部１４と、情報処理の際に一時的に情報を記憶するメモリ１５と、情報処理装置１の各部を統括して動作させる制御部１６と、各部を相互に接続するバス１７とを有する。
【００２０】
（第１の実施の形態の動作）
以下に、本発明の第１の実施の形態における情報処理装置の動作を各図を参照しつつ説明する。
【００２１】
情報処理装置１の各操作は、入力部１３において行われ、各処理は制御部１６において実行される。制御部１６において処理が実行される際、メモリ１５は一時的にデータを記録することで処理を補助する。表示信号は表示制御部１１１に入力されて処理される。ＬＣＤ１１０および図示しないバックライトは、表示制御部１１１の出力信号受信し、映像を表示する。保存が必要な情報は記憶部１４へ送信され、記憶部１４はそれらの情報を磁気情報として保存する。
【００２２】
アンテナ１２０は、外部からＣＤＭＡ方式の通信電波を受信し、受信した電波はＲＦケーブル１２１を介して信号として伝送され、信号は無線モジュール１２２によって復調される。無線モジュール１２２の出力は、制御部１６に入力されて所定の処理が実行される。また、信号を外部に送信する際は、無線モジュール１２２が変調した信号がＲＦケーブル１２１を伝送してアンテナ１２０から送信される。
【００２３】
外部より電波を受信してアンテナ１２０が出力する信号は、ＲＦケーブル１２１を伝送する際、その長さに比例してゲインをロスする。例えば、本実施の形態においては、ＲＦケーブル１２１の長さ５０ｃｍで、ゲインのロスは約１ｄＢとなる。ＲＦケーブル１２１の長さ２０ｃｍにおいて、ゲインのロスは約０．３ｄＢとなる。
【００２４】
アンテナ１２０の感度は、例えば−５ｄＢｉであり、無線モジュール１２２の受信可能な信号強度は−１１０ｄＢであるが、ＣＤＭＡ方式のうちＷ−ＣＤＭＡ規格において、情報処理装置１は、電波の強さが−１００ｄＢｍである状況においても受信してキャリア認証を可能とする必要がある。長さ５０ｃｍのＲＦケーブル１２１において、ゲインのロスが１ｄＢあると、情報処理装置１のキャリア認証に大きく影響するため、ＲＦケーブル１２１の長さを２０ｃｍ以下にすることが望ましい。
【００２５】
また、ＲＦケーブル１２１は、その長さに比例して様々なノイズを拾う。
【００２６】
（第１の実施の形態の効果）
上記した第１の実施の形態によると、無線モジュール１２２をアンテナ１２０が設置される上部筐体１０内に設置したため、従来、無線モジュール１２２を下部筐体２０に設置していた場合に比べて、アンテナ１２０と無線モジュール１２２との距離が縮まりＲＦケーブル１２１を短くすることができ、ＲＦケーブル１２１での信号のゲインロスおよびノイズを抑制することができる。
【００２７】
なお、アンテナ１２０が受信する電波はＣＤＭＡ方式の電波に限らない。また、アンテナ１２０は情報処理装置１に設置可能なものであればその形状を問わない。
【００２８】
〔第２の実施の形態〕
（第２の実施の形態の構成）
以下に、第２の実施の形態における情報処理装置の構成を各図を参照しつつ説明する。なお、以下の説明において、第１の実施の形態と同一の構成および機能を有する部分については共通の符号を付している。
図４は、本発明の第２の実施の形態に関する情報処理装置の内部を示す斜視図である。
【００２９】
上部筐体１０は、電波を送受信するアンテナ１２０と、アンテナ１２０が受信した信号を復調して処理する無線モジュール１２２とを有する。
【００３０】
Ｂｌｕｅｔｏｏｔｈ用の無線モジュール１２２は、例えば１３．８×２９．０×５．０ｍｍのサイズを有する。アンテナ１２０と無線モジュール１２２はそれぞれの端子同士を電気的に接続しておりＲＦケーブルを使用しない。
【００３１】
（第２の実施の形態の動作）
アンテナ１２０は、外部からＢｌｕｅｔｏｏｔｈの通信電波を受信し、受信した電波は信号として直接無線モジュール１２２に入力され、入力された信号は無線モジュール１２２によって復調される。無線モジュール１２２の出力は、制御部１６に入力されて所定の処理が実行される。また、信号を外部に送信する際は、無線モジュール１２２が変調した信号がアンテナ１２０に入力され、電波がアンテナ１２０ｂから送信される。
【００３２】
（第２の実施の形態の効果）
第２の実施の形態によると、第１の実施の形態と比較してＲＦケーブルを介さずにアンテナ１２０と無線モジュール１２２を接続したため、従来ＲＦを原因として発生していたゲインロスおよびノイズを抑えることができる。
【図面の簡単な説明】
【００３３】
【図１】本発明の第１の実施の形態に関する情報処理装置を示す斜視図である。
【図２】本発明の第１の実施の形態に関する情報処理装置の内部を示す斜視図である。
【図３】本発明の第１の実施の形態に関する情報処理装置の構成を示すブロック図である。
【図４】本発明の第２の実施の形態に関する情報処理装置の内部を示す斜視図である。
【符号の説明】
【００３４】
１…情報処理装置、３…ヒンジ部、１０…上部筐体、１１…表示部、１２…通信部、１３…入力部、１４…記憶部、１５…メモリ、１６…制御部、１７…バス、２０…下部筐体、２１…文字入力部、２２…操作部、３０…ヒンジ部、１１０…ＬＣＤ、１１０ａ…保護フィルム、１１１…表示制御部、１２０…アンテナ、１２０ａ…アンテナ、１２０ｂ…アンテナ、１２１…ＲＦケーブル、１２１ａ…ＲＦケーブル、１２１ｂ…ＲＦケーブル、１２２…無線モジュール、１２３…接続用ハーネス、１２３ａ…コネクタ、１２３ｂ…コネクタ、２００…メイン基板、２００ａ…コネクタ
【図１】
2008191706.tif 000003
【図２】
2008191706.tif 000004
【図３】
2008191706.tif 000005
【図４】
2008191706.tif 000006